(57)【要約】【課題】本発明は、太陽光の利用効率を向上できる集光装置を提供することを目的とする。【解決手段】所定の波長範囲の太陽光を利用する光電変換素子１１０に当該太陽光を集光する集光装置であって、光電変換素子１１０の周囲に立てて設けられ、太陽光を反射する反射状態と、太陽光を透過させる透過状態とを切替え可能な反射透過板１０、２０と、反射透過板１０、２０の反射状態と透過状態とを切り替える切替え回路１０２とを有するように構成する。【選択図】図１
2013118262.tif 000002
【特許請求の範囲】
【請求項１】
所定の波長範囲の太陽光を利用する光利用領域に当該太陽光を集光する集光装置であって、
前記光利用領域の周囲に立てて設けられ、前記太陽光を反射する反射状態と、前記太陽光を透過させる透過状態とを切替え可能な反射透過板と、
前記反射透過板の前記反射状態と前記透過状態とを切り替える切替え部とを有すること
を特徴とする集光装置。
【請求項２】
請求項１記載の集光装置において、
前記反射透過板は、前記光利用領域の東側又は西側に設けられること
を特徴とする集光装置。
【請求項３】
請求項１又は２に記載の集光装置において、
前記反射透過板は、前記反射状態での反射率の高い方の表面が前記光利用領域側を向くように配置されていること
を特徴とする集光装置。
【請求項４】
請求項１から３までのいずれか一項に記載の集光装置において、
前記反射透過板は、前記光利用領域の東側に設けられる第１の反射透過板と、前記光利用領域の西側に設けられる第２の反射透過板とを含むこと
を特徴とする集光装置。
【請求項５】
請求項４記載の集光装置において、
前記切替え部は、
東側から入射する光の強度を検出する第１の光センサと、西側から入射する光の強度を検出する第２の光センサとを有し、
前記第１の光センサで検出される光の強度が前記第２の光センサで検出される光の強度よりも高いときには、前記第１の反射透過板を前記透過状態に切り替えるとともに前記第２の反射透過板を前記反射状態に切り替え、
前記第２の光センサで検出される光の強度が前記第１の光センサで検出される光の強度よりも高いときには、前記第２の反射透過板を前記透過状態に切り替えるとともに前記第１の反射透過板を前記反射状態に切り替えること
を特徴とする集光装置。
【請求項６】
請求項５記載の集光装置において、
前記第１の光センサは、前記第１の反射透過板よりも東側に設けられ、
前記第２の光センサは、前記第２の反射透過板よりも西側に設けられていること
を特徴とする集光装置。
【請求項７】
請求項４から６までのいずれか一項に記載の集光装置において、
前記第１及び第２の反射透過板は、水素化又は脱水素化によって鏡状態と透明状態とを切替え可能な調光ミラー層と、水素イオンを貯蔵するイオン貯蔵層と、前記イオン貯蔵層を介して前記調光ミラー層に対向する導電膜とを有していること
を特徴とする集光装置。
【請求項８】
請求項７記載の集光装置において、
前記第１及び第２の光センサは、入射した光により起電力を発生させる太陽電池であり、
前記第１の光センサの正極性端子は、前記第１の反射透過板の導電膜と、前記第２の反射透過板の調光ミラー層と、前記第２の光センサの負極性端子とに接続され、
前記第１の光センサの負極性端子は、前記第１の反射透過板の調光ミラー層と、前記第２の反射透過板の導電膜と、前記第２の光センサの正極性端子とに接続されていること
を特徴とする集光装置。
【請求項９】
請求項１から８までのいずれか一項に記載の集光装置において、
前記反射透過板のうち前記光利用領域とは逆側の表面に設けられ、前記反射透過板に対して上向きに傾斜した斜面を備えるプリズムをさらに有すること
を特徴とする集光装置。
【請求項１０】
請求項１から９までのいずれか一項に記載の集光装置と、
前記光利用領域に配置された受光面を備え、前記集光装置により集光された太陽光の光エネルギーを電力に変換する光電変換素子と
を有することを特徴とする太陽光発電装置。
【請求項１１】
請求項１０記載の太陽光発電装置において、
前記反射透過板は、前記受光面上に立てて設けられていること
を特徴とする太陽光発電装置。
【請求項１２】
請求項１から９までのいずれか一項に記載の集光装置と、
前記光利用領域に配置され、前記集光装置により集光された太陽光の熱エネルギーを利用する太陽熱利用素子と
を有することを特徴とする太陽熱利用装置。
【発明の詳細な説明】
【技術分野】
【０００１】
本発明は、光を集光する集光装置、太陽光発電装置及び太陽熱利用装置に関する。
【背景技術】
【０００２】
特許文献１には、一列に配列された複数の太陽電池セルと、両端の太陽電池セル近傍に設けられた一対の反射板とを備えた太陽光発電装置が開示されている。この太陽光発電装置では、一端部に設けられた太陽電池セルと他端部に設けられた太陽電池セルとが相互に電気的に並列接続されている。これにより、太陽電池セルの受光面に対する太陽光の入射角度が小さく、一端部に設けられた太陽電池セルに照射される光の強度が低下した場合であっても、他端部に設けられた太陽電池セルにより出力電流が補完されるようになっている。
【先行技術文献】
【特許文献】
【０００３】
【特許文献１】特開２００４−１７２２５６号公報
【特許文献２】特開２００９−２９５６６３号公報
【特許文献３】特開２００２−３１４１１２号公報
【非特許文献】
【０００４】
【非特許文献１】吉村和記、「省エネルギー特性に優れた調光ミラーガラスの創製」、応用物理、公益社団法人応用物理学会、２０１０年、第７９巻、第７号、ｐ．６２８−６３２
【発明の概要】
【発明が解決しようとする課題】
【０００５】
しかしながら、上記の太陽光発電装置では、太陽高度が低いときに太陽電池上に影が形成されるのを防ぐことはできない。このため、両端の太陽電池セルの間で出力電流を補完したとしても、太陽電池の出力低下を防ぐことができず、太陽光の利用効率が低下してしまうという問題がある。
【０００６】
本発明の目的は、太陽光の利用効率を向上できる集光装置、太陽光発電装置及び太陽熱利用装置を提供することにある。
【課題を解決するための手段】
【０００７】
上記目的は、所定の波長範囲の太陽光を利用する光利用領域に当該太陽光を集光する集光装置であって、前記光利用領域の周囲に立てて設けられ、前記太陽光を反射する反射状態と、前記太陽光を透過させる透過状態とを切替え可能な反射透過板と、前記反射透過板の前記反射状態と前記透過状態とを切り替える切替え部とを有することを特徴とする集光装置によって達成される。
【０００８】
上記本発明の集光装置において、前記反射透過板は、前記光利用領域の東側又は西側に設けられることを特徴とする。
【０００９】
上記本発明の集光装置において、前記反射透過板は、前記反射状態での反射率の高い方の表面が前記光利用領域側を向くように配置されていることを特徴とする。
【００１０】
上記本発明の集光装置において、前記反射透過板は、前記光利用領域の東側に設けられる第１の反射透過板と、前記光利用領域の西側に設けられる第２の反射透過板とを含むことを特徴とする。
【００１１】
上記本発明の集光装置において、前記切替え部は、東側から入射する光の強度を検出する第１の光センサと、西側から入射する光の強度を検出する第２の光センサとを有し、前記第１の光センサで検出される光の強度が前記第２の光センサで検出される光の強度よりも高いときには、前記第１の反射透過板を前記透過状態に切り替えるとともに前記第２の反射透過板を前記反射状態に切り替え、前記第２の光センサで検出される光の強度が前記第１の光センサで検出される光の強度よりも高いときには、前記第２の反射透過板を前記透過状態に切り替えるとともに前記第１の反射透過板を前記反射状態に切り替えることを特徴とする。
【００１２】
上記本発明の集光装置において、前記第１の光センサは、前記第１の反射透過板よりも東側に設けられ、前記第２の光センサは、前記第２の反射透過板よりも西側に設けられていることを特徴とする。
【００１３】
上記本発明の集光装置において、前記第１及び第２の反射透過板は、水素化又は脱水素化によって鏡状態と透明状態とを切替え可能な調光ミラー層と、水素イオンを貯蔵するイオン貯蔵層と、前記イオン貯蔵層を介して前記調光ミラー層に対向する導電膜とを有していることを特徴とする。
【００１４】
上記本発明の集光装置において、前記第１及び第２の光センサは、入射した光により起電力を発生させる太陽電池であり、前記第１の光センサの正極性端子は、前記第１の反射透過板の導電膜と、前記第２の反射透過板の調光ミラー層と、前記第２の光センサの負極性端子とに接続され、前記第１の光センサの負極性端子は、前記第１の反射透過板の調光ミラー層と、前記第２の反射透過板の導電膜と、前記第２の光センサの正極性端子とに接続されていることを特徴とする。
【００１５】
上記本発明の集光装置において、前記反射透過板のうち前記光利用領域とは逆側の表面に設けられ、前記反射透過板に対して上向きに傾斜した斜面を備えるプリズムをさらに有することを特徴とする。
【００１６】
また上記目的は、上記本発明の集光装置と、前記光利用領域に配置された受光面を備え、前記集光装置により集光された太陽光の光エネルギーを電力に変換する光電変換素子とを有することを特徴とする太陽光発電装置によって達成される。
【００１７】
上記本発明の太陽光発電装置において、前記反射透過板は、前記受光面上に立てて設けられていることを特徴とする。
【００１８】
また上記目的は、上記本発明の集光装置と、前記光利用領域に配置され、前記集光装置により集光された太陽光の熱エネルギーを利用する太陽熱利用素子とを有することを特徴とする太陽熱利用装置によって達成される。
【発明の効果】
【００１９】
本発明によれば、太陽光の利用効率を向上できる集光装置、太陽光発電装置及び太陽熱利用装置を実現できる。
【図面の簡単な説明】
【００２０】
【図１】本発明の第１の実施の形態による集光装置１００及び太陽光発電装置１の概略構成を示す模式図である。
【図２】本発明の第１の実施の形態による反射透過板１０、２０に用いられるエレクトロクロミックミラーの層構造の一例を示す模式図である。
【図３】本発明の第１の実施の形態による光電変換素子１１０に用いられる太陽電池セルの発電効率の波長依存性を示すグラフである。
【図４】本発明の第１の実施の形態による集光装置１００において、反射透過板１０、２０の状態を切り替える切替え回路１０２の回路構成の一例を示す等価回路図である。
【図５】本発明の第１の実施の形態による集光装置１００の動作を説明する図である。
【図６】本発明の第１の実施の形態による集光装置１００及び太陽光発電装置１の効果の説明における前提事項を示す図である。
【図７】本発明の第１の実施の形態による集光装置１００及び太陽光発電装置１において、反射透過板１０、２０の反射状態での反射率を１００％と仮定し、透過状態での透過率を１００％と仮定した場合の太陽高度と光電変換素子１１０への光入射量との関係を示すグラフである。
【図８】本発明の第１の実施の形態による集光装置１００及び太陽光発電装置１において、反射透過板１０、２０の反射状態での反射率を７０％と仮定し、透過状態での透過率を５５％と仮定した場合の太陽高度と光電変換素子１１０への光入射量との関係を示すグラフである。
【図９】本発明の第１の実施の形態による集光装置１００及び太陽光発電装置１において、反射透過板１０、２０の反射状態での反射率を７０％と仮定し、透過状態での透過率を５５％と仮定した場合における、ｈ／Ｌ比と光電変換素子１１０への一日の光入射量との関係を示すグラフである。
【図１０】本発明の第１の実施の形態による集光装置１００及び太陽光発電装置１の構成の変形例を示す図である。
【図１１】本発明の第１の実施の形態による反射透過板１０、２０の変形例として用いられるガスクロミックミラーの層構造の一例を示す模式図である。
【図１２】本発明の第２の実施の形態による集光装置１００及び太陽光発電装置２の概略構成を示す模式図である。
【図１３】本発明の第３の実施の形態による集光装置１００及び集光装置ユニット３の概略構成を示す模式図である。
【図１４】本発明の第４の実施の形態による集光装置及び太陽光発電装置４の概略構成を示す模式図である。
【図１５】本発明の第５の実施の形態による集光装置７００及び太陽光発電装置５の概略構成を示す模式図である。
【図１６】本発明の第５の実施の形態による集光装置７００の効果を説明する図である。
【発明を実施するための形態】
【００２１】
［第１の実施の形態］
本発明の第１の実施の形態による集光装置及びそれを備えた太陽光発電装置について、図１〜図１１を用いて説明する。なお、以下の全ての図面においては、理解を容易にするため、各構成要素の寸法や比率などを適宜異ならせて図示している。図１は、本実施の形態による集光装置及び太陽光発電装置の概略構成を示す模式図である。図１に示すように、太陽光発電装置１は、光電変換素子１１０と、光電変換素子１１０の周囲に配置され、光電変換素子１１０に太陽光を集光する集光装置１００とを有している。
【００２２】
光電変換素子１１０は、１つ又は複数の太陽電池セルを有し、太陽光等の光エネルギーを光起電力効果により電力に変換する素子である。光電変換素子１１０は長方形平板状の形状を有している。本実施の形態の光電変換素子１１０は、水平な設置面上に配置されており、水平な受光面１１０ａを有している。また本実施の形態の光電変換素子１１０は、長方形の四辺が東西方向及び南北方向に平行になるように配置されている。光電変換素子１１０は、設置面に対し固定して取り付けられている。光電変換素子１１０を水平面内で回転させる機構は設けられていない。
【００２３】
集光装置１００は、光電変換素子１１０の周囲に立てて設けられている。集光装置１００は、互いに平行な２つの反射透過板１０、２０と、反射透過板１０、２０に対して垂直な１つの反射板３０とが断面コの字状に接続された構成を有している。集光装置１００は、光電変換素子１１０の南側以外の三方を囲むように配置されている。光電変換素子１１０の設置面を基準とすると、反射透過板１０、２０及び反射板３０の高さは、少なくとも光電変換素子１１０の受光面１１０ａの高さよりも高くなっている。また集光装置１００は、反射透過板１０、２０の状態を切り替えるための切替え回路１０２（図１では図示せず）を有している。
【００２４】
反射透過板１０は、光電変換素子１１０の東側（日の出方向）に隣接して配置されている。反射透過板１０は、光電変換素子１１０側（西側）の表面１０ａが鉛直方向及び南北方向に平行となり、光電変換素子１１０の受光面１１０ａに対して垂直となるように設置されている。本実施の形態の反射透過板１０は、太陽光を反射する反射状態と、太陽光を透過させる透過状態とを可逆的に切替え可能なエレクトロクロミックミラーである。反射透過板１０は、反射状態では西側からの太陽光を反射させて光電変換素子１１０に入射させることが可能であり、透過状態では東側からの太陽光を透過させて光電変換素子１１０に入射させることが可能である。反射透過板１０の表面１０ａは、光電変換素子１１０の東側の側端面と同一面内に位置しているか、又は当該側端面よりも東側に位置している。
【００２５】
反射透過板１０よりも東側には、光センサとして太陽電池１１が設けられている。本例の太陽電池１１は、反射透過板１０の東側の表面１０ｂ上に取り付けられている。太陽電池１１は、例えば鉛直方向に平行でかつ東側を向いた受光面を有している。太陽電池１１は、東側（真南よりも東寄りでかつ真北よりも東寄りの方向）から入射する光の強度を検出するようになっている。
【００２６】
反射透過板２０は、光電変換素子１１０の西側（日没方向）に隣接して配置されている。反射透過板２０は、光電変換素子１１０側（東側）の表面２０ａが鉛直方向及び南北方向に平行となり、光電変換素子１１０の受光面１１０ａに対して垂直となるように設置されている。本実施の形態の反射透過板２０は、反射透過板１０と同様に、太陽光を反射する反射状態と、太陽光を透過させる透過状態とを可逆的に切替え可能なエレクトロクロミックミラーである。反射透過板２０は、反射状態では東側からの太陽光を反射させて光電変換素子１１０に入射させることが可能であり、透過状態では西側からの太陽光を透過させて光電変換素子１１０に入射させることが可能である。反射透過板２０の表面２０ａは、光電変換素子１１０の西側の側端面と同一面内に位置しているか、又は当該側端面よりも西側に位置している。
【００２７】
反射透過板２０よりも西側には、光センサとして太陽電池２１が設けられている。本例の太陽電池２１は、反射透過板２０の西側の表面２０ｂ上に取り付けられている。太陽電池２１は、例えば鉛直方向に平行でかつ西側を向いた受光面を有している。太陽電池２１は、西側（真南よりも西寄りでかつ真北よりも西寄りの方向）から入射する光の強度を検出するようになっている。
【００２８】
反射板３０は、光電変換素子１１０の北側に隣接して配置されている。反射板３０は、光電変換素子１１０側（南側）の表面３０ａが鉛直方向及び東西方向に平行となり、光電変換素子１１０の受光面１１０ａに対して垂直となるように設置されている。反射板３０の表面３０ａは、光電変換素子１１０の北側の側端面と同一面内に位置しているか、又は当該側端面よりも北側に位置している。また、反射板３０の表面３０ａは、反射透過板１０、２０のそれぞれの北側の側端面と同一面内に位置しているか、又は当該側端面よりも北側に位置している。反射板３０は、反射状態と透過状態とを切替え可能である必要はない。
【００２９】
本実施の形態では、反射透過板１０、２０がいずれも南北方向に平行に配置されているが、反射透過板１０、２０の方位は、約４５°以内の範囲で互いに同方向又は別方向にずれていてもよい。
【００３０】
次に、本実施の形態の反射透過板１０、２０に用いられるエレクトロクロミックミラーについて説明する。図２は、エレクトロクロミックミラーの層構造の一例を示す模式図である。図２に示すように、エレクトロクロミックミラーは、ガラス基板等の透明基板４１を有している。透明基板４１上には、ＩＴＯ薄膜等の透明導電膜４２、酸化タングステン（ＷＯ３）薄膜等のイオン貯蔵層４３、酸化タンタル（Ｔａ２Ｏ５）薄膜等の固体電解質層４４、Ａｌ薄膜等のバッファ層４５、Ｐｄ薄膜等の触媒層４６、及びＭｇ−Ｎｉ合金薄膜等の調光ミラー層４７が、この順に積層されている。各層は、マグネトロン・スパッタ法等を用いて成膜される。
【００３１】
調光ミラー層４７側に−５Ｖの電圧を印加すると、イオン貯蔵層４３中の水素イオンが調光ミラー層４７に移動し、調光ミラー層４７のＭｇ−Ｎｉ合金が水素化する。これにより、調光ミラー層４７が鏡状態から透明状態に変化する。ここで、調光ミラー層４７において鏡状態及び透明状態はいずれも安定な状態であるため、調光ミラー層４７が透明状態に変化すると、その状態は電圧印加を停止しても維持される。一方、調光ミラー層４７側に＋５Ｖの電圧を印加すると、調光ミラー層４７中の水素イオンがイオン貯蔵層４３に移動し、調光ミラー層４７のＭｇ−Ｎｉ合金が脱水素化する。これにより、調光ミラー層４７が透明状態から鏡状態に変化する。調光ミラー層４７が鏡状態に変化すると、その状態は電圧印加を停止しても維持される。
【００３２】
非特許文献１には、調光ミラー層４７としてＭｇ６Ｎｉを用い、触媒層４６としてＰｄを用いた場合の調光ミラー層４７の反射スペクトル及び透過スペクトルが記載されている。この反射スペクトル及び透過スペクトルによれば、可視光及び近赤外光の波長範囲（約３６０〜２５００ｎｍ）において、鏡状態での調光ミラー層４７の反射率は概ね６０〜８０％であり、透過率はほぼ０％である。また、可視光及び近赤外光の波長範囲において、透明状態での調光ミラー層４７の透過率は概ね４０〜６０％であり、反射率は概ね１０〜３０％である。
【００３３】
以上のように、調光ミラー層４７を鏡状態と透明状態との間で切り替えることによって、反射透過板１０、２０は、少なくとも可視光及び近赤外光の波長範囲の太陽光を鏡面反射する反射状態と、同波長範囲の太陽光を透過させる透過状態との間で切り替わるようになっている。
【００３４】
ここで、鏡状態のエレクトロクロミックミラーにおいて、調光ミラー層４７側の表面の反射率は、透明基板４１側の表面の反射率よりも高い。すなわち、調光ミラー層４７側からエレクトロクロミックミラーに入射する光に対する反射率は、透明基板４１側からエレクトロクロミックミラーに入射する光に対する反射率よりも高い。これは、イオン貯蔵層４３（ＨｘＷＯ３）で発生する色付き等に起因する。したがって、エレクトロクロミックミラーを用いた反射透過板１０、２０は、反射状態での反射率が高い調光ミラー層４７側の表面を光電変換素子１１０側に向けて配置されることが望ましい。なお、透明状態のエレクトロクロミックミラーにおける透過率は、調光ミラー層４７側からの入射光及び透明基板４１側からの入射光のいずれに対してもほぼ同一である。
【００３５】
次に、本実施の形態の光電変換素子１１０で利用可能な光の波長範囲について説明する。光電変換素子１１０の太陽電池セルは、アモルファスＳｉ（α−Ｓｉ）、結晶Ｓｉ（Ｃ−Ｓｉ）等のシリコン系材料や、ＣＩＧＳ（Ｃｕ（Ｉｎ，Ｇａ）Ｓｅ２）、ＣｄＴｅ、ＧａＡｓ等の化合物系材料を用いて形成された光吸収層を有している。太陽電池セルの発電効率には、光吸収層の形成材料毎に異なる波長依存性がある。
【００３６】
図３は、太陽電池セルの発電効率（エネルギー変換効率）の波長依存性を光吸収層の形成材料毎に示すグラフである。グラフの横軸は波長（ｎｍ）を表し、縦軸はエネルギー変換効率（％）を表している。ここで、縦軸のエネルギー変換効率は、太陽電池から出力される電気エネルギーの、太陽電池に各波長で入射した光エネルギーに対する比を表している。仮に、ある波長で太陽電池に入射した光エネルギーが全て電気エネルギーに変換されるとすると、当該波長でのエネルギー変換効率は１００％となる。図３に示すように、ＣＩＧＳ又はＣ−Ｓｉを用いた太陽電池セルでは、概ね可視光の全ての波長範囲（約３６０〜７５０ｎｍ）、及び近赤外光の波長範囲のうち短波長側（約７５０〜１２００ｎｍ）を利用した発電が可能である。ＧａＡｓを用いた太陽電池セルでは、概ね可視光の全ての波長範囲、及び近赤外光の波長範囲のうち短波長側（約７５０〜９００ｎｍ）を利用した発電が可能である。ＣｄＴｅ又はα−Ｓｉを用いた太陽電池セルでは、概ね可視光の全ての波長範囲を利用した発電が可能である。
【００３７】
すなわち、本実施の形態の反射透過板１０、２０は、反射状態では光電変換素子１１０で利用可能な波長範囲の光を反射し、透過状態では光電変換素子１１０で利用可能な波長範囲の光を透過させるようになっている。
【００３８】
また、太陽電池セルの熱特性は光吸収層の形成材料によって異なる。例えば、ＣＩＧＳを用いた太陽電池セルでは、温度上昇による発電効率の低下はほとんど生じない。Ｃ−Ｓｉを用いた太陽電池セルでは、温度上昇による発電効率の低下が比較的大きく、温度係数は−０．４５％／℃程度である。ここで、温度係数は、温度が１℃上昇したときの発電効率の変化を示している。ＣｄＴｅを用いた太陽電池セルでは、温度上昇による発電効率の低下は小さい。α−Ｓｉを用いた太陽電池セルでは、温度上昇による発電効率の低下は比較的小さく、温度係数は−０．３％／℃程度である。ＧａＡｓを用いた太陽電池セルでは、温度上昇による発電効率の低下は比較的小さく、温度係数は−０．２〜−０．３％／℃である。
【００３９】
太陽電池セルの温度上昇による発電効率の低下が大きい場合には、反射透過板１０の光電変換素子１１０側の表面１０ａと、反射透過板２０の光電変換素子１１０側の表面２０ａとに、赤外光（例えば、遠赤外光）を吸収する赤外線吸収フィルムを取り付けてもよい。これにより、反射透過板１０、２０で太陽光を反射又は透過させる際に赤外光を吸収できるため、光電変換素子１１０に入射する赤外光を減少させることができる。したがって、光電変換素子１１０の温度上昇を抑えることができ、結果として太陽電池セルの発電効率の低下を抑制することができる。また、反射透過板１０の外側の表面１０ｂや反射透過板２０の外側の表面２０ｂに、赤外光を反射する赤外線反射フィルムを取り付けるようにしてもよい。これにより、透過状態の反射透過板１０、２０で太陽光を透過させて光電変換素子１１０に入射させる際に、赤外光を外側に反射できるため、光電変換素子１１０に入射する赤外光を減少させることができる。さらに、赤外線反射フィルムを光電変換素子１１０の受光面１１０ａ上に取り付けるようにしてもよい。これによっても、光電変換素子１１０に入射する赤外光を減少させることができる。
【００４０】
図４（ａ）、（ｂ）は、本実施の形態による集光装置１００において、反射透過板１０、２０の状態を切り替える切替え回路１０２の回路構成の一例を示す等価回路図である。図４では、反射透過板１０、２０の層構造として、透明導電膜４２、イオン貯蔵層４３及び調光ミラー層４７のみを示している。また、光センサとして用いられる太陽電池１１、２１を電流源及びダイオードにより表している。図４（ａ）、（ｂ）に示すように、太陽電池１１の正極性端子１１ａには、反射透過板１０の透明導電膜４２と、反射透過板２０の調光ミラー層４７と、太陽電池２１の負極性端子２１ｂとが接続されている。また、太陽電池１１の負極性端子１１ｂには、反射透過板１０の調光ミラー層４７と、反射透過板２０の透明導電膜４２と、太陽電池２１の正極性端子２１ａとが接続されている。
【００４１】
図４（ａ）は、太陽光が東側から照射されるときの状態を示している。太陽光が東側から照射されるとき、東側を向いた受光面を有する太陽電池１１の起電力は、西側を向いた受光面を有する太陽電池２１の起電力よりも大きくなる。これにより、反射透過板１０の透明導電膜４２及び反射透過板２０の調光ミラー層４７に正極性の電圧が印加されるとともに、図中太矢印で示す方向に電流が流れる。反射透過板１０では、透明導電膜４２に正極性の電圧が印加されることによって、イオン貯蔵層４３中の水素イオンが調光ミラー層４７に移動し、調光ミラー層４７が水素化する。したがって、反射透過板１０の調光ミラー層４７は鏡状態から透明状態に変化する。一方、反射透過板２０では、調光ミラー層４７に正極性の電圧が印加されることによって、調光ミラー層４７中の水素イオンがイオン貯蔵層４３に移動し、調光ミラー層４７が脱水素化する。したがって、反射透過板２０の調光ミラー層４７は透明状態から鏡状態に変化する。
【００４２】
図４（ｂ）は、太陽光が西側から照射されるときの状態を示している。太陽光が西側から照射されるとき、太陽電池２１の起電力は太陽電池１１の起電力よりも大きくなる。これにより、反射透過板１０の調光ミラー層４７及び反射透過板２０の透明導電膜４２に正極性の電圧が印加されるとともに、図中太矢印で示す方向に電流が流れる。反射透過板１０では、調光ミラー層４７に正極性の電圧が印加されることによって、調光ミラー層４７中の水素イオンがイオン貯蔵層４３に移動し、調光ミラー層４７が脱水素化する。したがって、反射透過板１０の調光ミラー層４７は透明状態から鏡状態に変化する。一方、反射透過板２０では、透明導電膜４２に正極性の電圧が印加されることによって、イオン貯蔵層４３中の水素イオンが調光ミラー層４７に移動し、調光ミラー層４７が水素化する。したがって、反射透過板２０の調光ミラー層は鏡状態から透明状態に変化する。
【００４３】
次に、本実施の形態による集光装置１００の動作の典型的な例について説明する。図５（ａ）は、日の出から南中時までの時間帯における集光装置１００の動作を示している。ここで、図５（ａ）、（ｂ）では、反射状態の反射透過板１０、２０をハッチングで表し、透過状態の反射透過板１０、２０を白抜きで表している。
【００４４】
図５（ａ）に示すように、日の出から南中直前までの時間帯には、太陽２００（２００ａ）が真南より東側に位置するので、集光装置１００に対して太陽光は東側から照射される。太陽光が東側から照射されるときには、太陽電池１１の起電力が太陽電池２１の起電力よりも大きくなるため、東側の反射透過板１０が透過状態となり、西側の反射透過板２０が反射状態となる。したがって、反射透過板１０に入射する太陽光は、図中の光線Ｌ１で示すように、反射透過板１０を透過して光電変換素子１１０に入射する。一方、反射透過板２０に入射する太陽光は、光線Ｌ２で示すように、反射透過板２０で反射して光電変換素子１１０に入射する。
【００４５】
このように、太陽光が東側から照射されるとき、東側の反射透過板１０が透過状態であるため、光電変換素子１１０上に影が形成されるのを防ぐことができる。したがって、集光装置１００が設けられていない構成と比較して、光電変換素子１１０への光入射量の減少を抑制することができる。また、西側の反射透過板２０が反射状態であるため、反射透過板２０で反射した太陽光を光電変換素子１１０に集光することができる。したがって、集光装置１００が設けられていない構成と比較して、光電変換素子１１０への光入射量を増加させることができる。
【００４６】
南中時には太陽２００（２００ｂ）が真南に位置するので、集光装置１００に対して太陽光は真南から照射される。太陽光が真南から照射されるときには、太陽電池１１の起電力と太陽電池２１の起電力とが等しくなる。このとき、反射透過板１０、２０に印加される電圧は０となるが、反射透過板１０、２０の反射状態及び透過状態はいずれも安定な状態であるため、反射透過板１０の透過状態及び反射透過板２０の反射状態は維持される。反射透過板１０の透過状態及び反射透過板２０の反射状態は、太陽２００が真南より西側に移動して、太陽電池２１の起電力が太陽電池１１の起電力よりも大きくなるまで維持される。
【００４７】
太陽光が真南から照射されるとき、太陽光の入射方向は反射透過板１０、２０と平行になるため、光電変換素子１１０上には影が形成されない。また、反射透過板１０、２０での反射による光電変換素子１１０への集光も生じない。したがって、反射透過板１０、２０が反射状態及び透過状態のいずれであっても、光電変換素子１１０への光入射量の増減はほとんど生じない。
【００４８】
図５（ｂ）は、南中時から日没までの時間帯における集光装置１００の動作を示している。図５（ｂ）に示すように、南中直後から日没までの時間帯には、太陽２００（２００ｃ）が真南より西側に位置するので、集光装置１００に対して太陽光は西側から照射される。太陽光が西側から照射されると、太陽電池２１の起電力が太陽電池１１の起電力よりも大きくなるため、西側の反射透過板２０は透過状態に変化し、東側の反射透過板１０は反射状態に変化する。したがって、反射透過板２０に入射する太陽光は、図中の光線Ｌ３で示すように、反射透過板２０を透過して光電変換素子１１０に入射する。一方、反射透過板１０に入射する太陽光は、光線Ｌ４で示すように、反射透過板１０で反射して光電変換素子１１０に入射する。
【００４９】
このように、太陽光が西側から照射されるとき、西側の反射透過板２０が透過状態であるため、光電変換素子１１０上に影が形成されるのを防ぐことができる。したがって、集光装置１００が設けられていない構成と比較して、光電変換素子１１０への光入射量の減少を抑制することができる。また、東側の反射透過板１０が反射状態であるため、反射透過板１０で反射した太陽光を光電変換素子１１０に集光することができる。したがって、集光装置１００が設けられていない構成と比較して、光電変換素子１１０への光入射量を増加させることができる。
【００５０】
次に、図６〜図９を用いて本実施の形態による集光装置１００及び太陽光発電装置１の効果、及びより大きい効果が得られる寸法比について説明する。図６は、以下の説明における前提事項を示す図である。図６に示すように、以下の説明では、光電変換素子１１０の東西方向の幅をＬとし、反射透過板１０、２０の受光面１１０ａからの高さをｈとする。光電変換素子１１０の幅Ｌに対する反射透過板１０、２０の高さｈの比をｈ／Ｌ比と表現する。また、太陽光の入射方向（図中太矢印で示す）と水平面とのなす角θを太陽の高度とする。すなわち、日の出時及び日没時には太陽高度は０°となり、太陽が天頂に位置するときの太陽高度は９０°となる。
【００５１】
図７は、反射透過板１０、２０の反射状態での反射率を１００％と仮定し、透過状態での透過率を１００％と仮定した場合における、太陽の高度と光電変換素子１１０への光入射量との関係を示すグラフである。グラフの横軸は太陽の高度（ｄｅｇ）を表し、縦軸は光電変換素子１１０への光入射量を表している。光電変換素子１１０への光入射量は、太陽の高度が９０°のときの光入射量を１として正規化した。グラフ中の「◆」を結ぶ曲線はｈ／Ｌ比が０のとき（すなわち、反射透過板１０、２０が設けられていないとき）の光入射量を示し、「■」を結ぶ曲線はｈ／Ｌ比が０．２５のときの光入射量を示し、「▲」を結ぶ曲線はｈ／Ｌ比が０．５のときの光入射量を示し、「×」を結ぶ曲線はｈ／Ｌ比が０．７５のときの光入射量を示し、「＊」を結ぶ曲線はｈ／Ｌ比が１のときの光入射量を示し、「●」を結ぶ曲線はｈ／Ｌ比が２のときの光入射量を示す。なお、大気での光吸収や散乱は考慮していない。
【００５２】
図７に示すように、ｈ／Ｌ比が０のとき、光電変換素子１１０への光入射量は、太陽高度が０°から９０°まで変化するのに伴って単調に増加する。ｈ／Ｌ比が０のときを基準にすると、ｈ／Ｌ比が０より大きい場合の光電変換素子１１０への光入射量は、０°及び９０°を除く全ての太陽高度で増加している。光電変換素子１１０への光入射量は、ｈ／Ｌ比が大きいほど大きい。
【００５３】
例えば、ｈ／Ｌ比が０．２５のときの光入射量は、太陽高度約６０°〜９０°の範囲で１以上となり、太陽高度約８０°で最大値（約１．０）をとる。ｈ／Ｌ比が０．５のときの光入射量は、太陽高度約４０°〜９０°の範囲で１以上となり、太陽高度約６０°で最大値（約１．１）をとる。ｈ／Ｌ比が０．７５のときの光入射量は、太陽高度約３０°〜９０°の範囲で１以上となり、太陽高度約５０°で最大値（約１．２）をとる。ｈ／Ｌ比が１のときの光入射量は、太陽高度約３０°〜９０°の範囲で１以上となり、太陽高度約５０°で最大値（約１．４）をとる。ｈ／Ｌ比が２のときの光入射量は、太陽高度約３０°〜９０°の範囲で１以上となり、太陽高度約６０°で最大値（約１．７）をとる。
【００５４】
図７に示すグラフによれば、反射透過板１０、２０の反射状態での反射率及び透過状態での透過率をいずれも１００％と仮定した場合、反射透過板１０、２０が設けられることによって光電変換素子１１０への光入射量が増加すること、及び、光電変換素子１１０の幅を一定とすれば光電変換素子１１０の高さが高くなるほど光入射量が増加すること、が分かる。
【００５５】
図８は、反射透過板１０、２０の反射状態での反射率を７０％と仮定し、透過状態での透過率を５５％と仮定した場合における、太陽の高度と光電変換素子１１０への光入射量との関係を示すグラフである。上述のように調光ミラー層４７の鏡状態での反射率が６０〜８０％であり、透明状態での透過率が４０〜６０％であることを考慮すると、反射透過板１０、２０の反射状態での反射率７０％及び透過状態での透過率５５％という仮定は、現実の値に近いものと考えられる。
【００５６】
図８に示すように、ｈ／Ｌ比が０のときを基準にすると、ｈ／Ｌ比が０より大きい場合の光電変換素子１１０への光入射量は、０°及び９０°を除く大部分の太陽高度で増加している。したがって、反射透過板１０、２０の反射状態での反射率を７０％と仮定し、透過状態での透過率を５５％と仮定した場合においても、反射透過板１０、２０が設けられることによって光電変換素子１１０への光入射量が増加することが分かる。ただし、反射透過板１０、２０の反射状態での反射率及び透過状態での透過率がいずれも１００％であるときと比較すれば、全体として光入射量の増加が小さくなる。また、反射透過板１０、２０の反射状態での反射率及び透過状態での透過率がいずれも１００％であるときと異なり、ｈ／Ｌ比が大きいほど光電変換素子１１０への光入射量が大きくなる訳ではなく、ｈ／Ｌ比には光入射量が最大となる最適値が存在する。
【００５７】
例えば、ｈ／Ｌ比が０．２５のときの光入射量は、０°及び９０°を除く全ての太陽高度でｈ／Ｌ比が０のときよりも増加している。ただし、太陽高度９０°での光入射量が最大であり、９０°以外の太陽高度では光入射量が１以上となることはない。ｈ／Ｌ比が０．５のときの光入射量は、０°及び９０°を除く全ての太陽高度でｈ／Ｌ比が０のときよりも増加しており、太陽高度約８０°〜９０°の範囲で１以上となり、太陽高度約８０°で最大値（約１．０）をとる。
【００５８】
ｈ／Ｌ比が０．７５のときの光入射量は、太陽高度約２０°〜９０°の範囲でｈ／Ｌ比が０のときよりも増加しているが、太陽高度約０°〜２０°の範囲ではｈ／Ｌ比が０のときよりもやや減少する。また、ｈ／Ｌ比が０．７５のときの光入射量は、太陽高度約７０°〜９０°の範囲で１以上となり、太陽高度約８０°で最大値（約１．０）をとる。
【００５９】
ｈ／Ｌ比が１のときの光入射量は、太陽高度約３０°〜９０°の範囲でｈ／Ｌ比が０のときよりも増加しているが、太陽高度約０°〜３０°の範囲ではｈ／Ｌ比が０のときよりもやや減少する。また、ｈ／Ｌ比が１のときの光入射量は、太陽高度約６０°〜９０°の範囲で１以上となり、太陽高度約７０°で最大値（約１．０）をとる。
【００６０】
ｈ／Ｌ比が２のときの光入射量は、太陽高度約５０°〜９０°の範囲でｈ／Ｌ比が０のときよりも増加しているが、太陽高度約０°〜５０°の範囲ではｈ／Ｌ比が０のときよりもやや減少する。また、ｈ／Ｌ比が２のときの光入射量は、太陽高度約６０°〜９０°の範囲で１以上となり、太陽高度約７０°で最大値（約１．１）をとる。
【００６１】
図９は、反射透過板１０、２０の反射状態での反射率を７０％と仮定し、透過状態での透過率を５５％と仮定した場合における、ｈ／Ｌ比と光電変換素子１１０への一日の光入射量（積算値）との関係を示すグラフである。グラフの横軸はｈ／Ｌ比を表し、縦軸は光電変換素子１１０への一日の光入射量を表している。ここで、光電変換素子１１０への一日の光入射量は、赤道上での春分の日又は秋分の日を想定して算出した。赤道上での春分の日又は秋分の日には、太陽は真東から昇り、南中時に天頂を通り、真西に沈む。また、光電変換素子１１０への一日の光入射量は、ｈ／Ｌ比が０のときを１として正規化した。
【００６２】
図９に示すように、ｈ／Ｌ比が０より大きいときには、光電変換素子１１０への一日の光入射量は１より大きくなる。したがって、反射透過板１０、２０の反射状態での反射率を７０％と仮定し、透過状態での透過率を５５％と仮定した場合においても、反射透過板１０、２０を設けることによって光電変換素子１１０への１日当たりの光入射量が増加することが分かる。また、光電変換素子１１０への一日の光入射量は、ｈ／Ｌ比が１のときに最大値（約１．０８）をとる。したがって、反射透過板１０、２０の反射状態での反射率を７０％と仮定し、透過状態での透過率を５５％と仮定した場合においては、反射透過板１０、２０の受光面１１０ａからの高さｈと光電変換素子１１０の東西方向の幅Ｌとが等しいときに、光電変換素子１１０への光入射量を最も増加させることができる。
【００６３】
図１０は、本実施の形態による集光装置１００及び太陽光発電装置１の構成の変形例を示す図である。図１０に示すように、本変形例では、東側から入射する光の強度を検出して光強度信号を出力する光センサ３１１と、西側から入射する光の強度を検出して光強度信号を出力する光センサ３２１とが設けられている。光センサ３１１は、反射透過板１０よりも東側に設けられており、東側を向いた受光面を有している。光センサ３２１は、反射透過板２０よりも西側に設けられており、西側を向いた受光面を有している。
【００６４】
また本変形例では、反射透過板１０、２０に対して所定の電圧を印加する電圧印加機構３０２が設けられている。さらに本変形例では、ＣＰＵ、ＲＯＭ、ＲＡＭ、入出力ポート等を備えた制御部３００が設けられている。制御部３００は、光センサ３１１、３２１からの光強度信号に基づいて、電圧印加機構３０２を制御するようになっている。光センサ３１１、３２１、電圧印加機構３０２及び制御部３００は、反射透過板１０、２０の状態を切り替える切替え部を構成する。
【００６５】
例えば、制御部３００は、光センサ３１１で検出される光強度と光センサ３２１で検出される光強度とを比較し、光センサ３１１で検出される光強度の方が高いと判定したら、反射透過板１０を透過状態とし、反射透過板２０を反射状態とすることを決定する。制御部３００は、この決定に基づいて、電圧印加機構３０２に所定の制御信号を出力する。電圧印加機構３０２は、制御部３００からの制御信号に基づき、反射透過板１０の透明導電膜４２と、反射透過板２０の調光ミラー層４７とに正極性の電圧を印加する。これにより、反射透過板１０が透過状態となり、反射透過板２０が反射状態となる。
【００６６】
また制御部３００は、光センサ３２１で検出される光強度の方が高いと判定したら、反射透過板１０を反射状態とし、反射透過板２０を透過状態とすることを決定する。制御部３００は、この決定に基づいて、電圧印加機構３０２に所定の制御信号を出力する。電圧印加機構３０２は、制御部３００からの制御信号に基づき、反射透過板１０の調光ミラー層４７と、反射透過板２０の透明導電膜４２とに正極性の電圧を印加する。これにより、反射透過板１０が反射状態となり、反射透過板２０が透過状態となる。
【００６７】
また、制御部３００は、光センサ３１１、３２１からの光強度信号に基づいて電圧印加機構３０２を制御するのではなく、タイマ等を用いて現在時刻に基づいて電圧印加機構３０２を制御するようにしてもよい。例えば、制御部３００は、南中時刻又は正午になったら、反射透過板１０、２０の反射状態と透過状態とを切り替える。仮に、反射透過板１０、２０が南北方向と平行でない場合等には、反射透過板１０、２０の反射状態と透過状態とを切り替える時刻を南中時刻又は正午以外としてもよい。
【００６８】
本実施の形態では、反射透過板１０、２０としてエレクトロクロミックミラーを用いているが、ガスクロミックミラーを用いることもできる。図１１は、反射透過板１０、２０の変形例として用いられるガスクロミックミラーの層構造の一例を示す模式図である。図１１に示すように、ガスクロミックミラーは、所定の空間３４８を介して対向配置された一対の透明基板３４１、３４９を有している。一方の透明基板３４１の対向面上には、Ｍｇ−Ｎｉ合金薄膜等の調光ミラー層３４７、及びＰｄ薄膜等の触媒層３４６がこの順に積層されている。Ｍｇ−Ｎｉ合金の好ましい組成の例としてはＭｇ６Ｎｉがある。触媒層３４６は、調光ミラー層３４７が室温で水素と反応するための触媒としての機能を有する。また触媒層３４６は、酸化し易い調光ミラー層３４７を酸素から保護する機能も有する。透明基板３４１、３４９間には、空間３４８を維持するためのスペーサが設けられている。
【００６９】
この構成において、希釈した水素ガス（例えば濃度約１％）を空間３４８に導入すると、調光ミラー層３４７のＭｇ−Ｎｉ合金が水素化する。これにより、調光ミラー層３４７が鏡状態から透明状態に変化する。一方、希釈した酸素ガス（例えば濃度２０％）を空間３４８に導入すると、調光ミラー層３４７のＭｇ−Ｎｉ合金が脱水素化する。これにより、調光ミラー層３４７が透明状態から鏡状態に変化する。
【００７０】
このように、ガスクロミックミラーを用いた反射透過板１０、２０においても、空間３４８に水素ガス又は酸素ガスを導入することによって、反射状態と透過状態とを可逆的に切り替えることが可能である。ガスクロミックミラーを用いた反射透過板１０、２０において、反射状態での一方の表面の反射率と他方の表面の反射率とが異なる場合には、反射透過板１０、２０は、反射率の高い方の表面を光電変換素子１１０側に向けて配置されることが望ましい。
【００７１】
また、反射透過板１０、２０としては、コレステリック液晶を有する液晶パネルを用いることも可能である。この液晶パネルは、それぞれ透明電極が形成された一対の透明基板の間にコレステリック液晶を封止した構成を有している。コレステリック液晶は、棒状の分子が幾重にも重なる層状の構造を持っている。各層内ではそれぞれの分子が一定方向に配列しており、互いの層は分子の配列方向が螺旋状になるように集積している。コレステリック液晶は、プレーナ状態とフォーカルコニック状態の２つの状態で安定する双安定性を有している。
【００７２】
プレーナ状態では、液晶分子は基板法線方向を螺旋軸とする螺旋構造を一定周期で形成する。プレーナ状態の液晶層は、螺旋周期ｐに応じた所定の波長範囲でかつ螺旋の巻き方向と同じ向きの円偏光を反射する。反射が最大となる波長λは、液晶の平均屈折率ｎと螺旋周期ｐとの積ｎｐである。プレーナ状態の液晶層は、所定の波長範囲の光を選択的に反射する反射状態となる。
【００７３】
プレーナ状態の液晶に所定の電圧を印加すると、フォーカルコニック状態になる。フォーカルコニック状態では、液晶分子は基板に平行な方向を螺旋軸とする螺旋構造を形成する。フォーカルコニック状態では、液晶層による光の選択反射性は失われ、ほとんどの光が透過する。すなわち、フォーカルコニック状態の液晶層は、光を透過させる透過状態となる。フォーカルコニック状態の液晶に大きい電圧を印加してホメオトロピック状態にした後、急激に電界を０にすると、プレーナ状態に戻る。
【００７４】
このように、コレステリック液晶を有する液晶パネルを用いた反射透過板１０、２０においても、液晶層に印加する電圧を制御することにより、反射状態と透過状態とを可逆的に切り替えることが可能である。反射状態の反射透過板１０、２０での反射光量を多くするために、反射透過板１０、２０として、螺旋周期又は螺旋の巻き方向が互いに異なる複数の液晶パネルを積層して用いるようにしてもよい。コレステリック液晶を有する液晶パネルを用いた反射透過板１０、２０において、反射状態での一方の表面の反射率と他方の表面の反射率とが異なる場合には、反射透過板１０、２０は、反射率の高い方の表面を光電変換素子１１０側に向けて配置されることが望ましい。
【００７５】
以上説明したように、本実施の形態による集光装置１００は、所定の波長範囲の太陽光を利用する光利用領域（例えば、光電変換素子１１０）に当該太陽光を集光する集光装置１００であって、光利用領域の周囲に立てて設けられ、太陽光を反射する反射状態と、太陽光を透過させる透過状態とを切替え可能な反射透過板１０、２０と、反射透過板１０、２０の反射状態と透過状態とを切り替える切替え回路１０２とを有することを特徴とする。
【００７６】
この構成によれば、反射透過板１０、２０が透過状態のときには光利用領域に影が形成されるのを防ぐことができ、反射透過板１０、２０が反射状態のときには当該反射透過板１０、２０で反射した太陽光を光利用領域に集光することができる。したがって、太陽光の利用効率を向上することができる。
【００７７】
本実施の形態による集光装置において、反射透過板１０、２０は、光利用領域の東側又は西側に設けられることを特徴とする。
【００７８】
この構成によれば、太陽高度の低い朝方又は夕方において、太陽光の利用効率を向上することができる。
【００７９】
本実施の形態による集光装置において、反射透過板１０、２０は、反射状態での反射率の高い方の表面が光利用領域側を向くように配置されていることを特徴とする。例えば、エレクトロクロミックミラーを用いた反射透過板１０、２０は、調光ミラー層４７側の表面が光利用領域側を向くように配置される。
【００８０】
この構成によれば、反射状態の反射透過板１０、２０で反射して光利用領域に集光される太陽光の光量を増加させることができるため、太陽光の利用効率をより向上することができる。
【００８１】
本実施の形態による集光装置において、反射透過板は、光利用領域の東側に設けられる第１の反射透過板１０と、光利用領域の西側に設けられる第２の反射透過板２０とを含むことを特徴とする。
【００８２】
この構成によれば、太陽高度の低い朝方及び夕方の双方において、太陽光の利用効率を向上することができる。
【００８３】
本実施の形態による集光装置において、切替え回路１０２は、東側から入射する光の強度を検出する第１の光センサ（太陽電池１１）と、西側から入射する光の強度を検出する第２の光センサ（太陽電池２１）とを有し、第１の光センサで検出される光の強度が第２の光センサで検出される光の強度よりも高いときには、第１の反射透過板１０を透過状態に切り替えるとともに第２の反射透過板２０を反射状態に切り替え、第２の光センサで検出される光の強度が第１の光センサで検出される光の強度よりも高いときには、第２の反射透過板２０を透過状態に切り替えるとともに第１の反射透過板１０を反射状態に切り替えることを特徴とする。
【００８４】
この構成によれば、太陽が東側に位置する時間帯には東側から入射する光の強度が高いため、東側に位置する反射透過板１０が透過状態に切り替えられ、西側に位置する反射透過板２０が反射状態に切り替えられる。また、太陽が西側に位置する時間帯には西側から入射する光の強度が高いため、西側に位置する反射透過板２０が透過状態に切り替えられ、東側に位置する反射透過板１０が反射状態に切り替えられる。
【００８５】
本実施の形態による集光装置において、第１の光センサは、第１の反射透過板１０よりも東側に設けられ、第２の光センサは、第２の反射透過板２０よりも西側に設けられていることを特徴とする。
【００８６】
この構成によれば、反射透過板１０が反射状態であるか透過状態であるかに関わらず、東側から入射する光の強度を第１の光センサによって検出できる。また、反射透過板２０が反射状態であるか透過状態であるかに関わらず、西側から入射する光の強度を第２の光センサによって検出できる。
【００８７】
本実施の形態による集光装置において、第１及び第２の反射透過板１０、２０は、水素化又は脱水素化によって鏡状態と透明状態とを切替え可能な調光ミラー層４７と、水素イオンを貯蔵するイオン貯蔵層４３と、イオン貯蔵層４３を介して調光ミラー層４７に対向する透明導電膜４２とを有していることを特徴とする。
【００８８】
この構成によれば、反射透過板１０、２０の透明導電膜４２に正極性の電圧を印加することによって反射透過板１０、２０を容易に透過状態に切り替えることができ、反射透過板１０、２０の調光ミラー層４７に正極性の電圧を印加することによって反射透過板１０、２０を容易に反射状態に切り替えることができる。
【００８９】
本実施の形態による集光装置において、第１及び第２の光センサは、入射した光により起電力を発生させる太陽電池１１、１２であり、太陽電池１１の正極性端子１１ａは、第１の反射透過板１０の透明導電膜４２と、第２の反射透過板２０の調光ミラー層４７と、太陽電池２１の負極性端子２１ｂとに接続され、太陽電池１１の負極性端子１１ｂは、第１の反射透過板１０の調光ミラー層４７と、第２の反射透過板２０の透明導電膜４２と、太陽電池２１の正極性端子２１ａとに接続されていることを特徴とする。
【００９０】
この構成によれば、簡易な装置構成で反射透過板１０、２０を反射状態又は透過状態に切り替えることができる。例えば、制御部や外部電源を設けることなく反射透過板１０、２０を反射状態又は透過状態に切り替えることも可能である。
【００９１】
また本実施の形態による太陽光発電装置は、上記の集光装置１００と、光利用領域に配置された受光面１１０ａを備え、集光装置１００により集光された太陽光の光エネルギーを電力に変換する光電変換素子１１０とを有することを特徴とする。
【００９２】
この構成によれば、光電変換素子１１０に入射する太陽光の光量を増加させることができるため、光電変換素子１１０における太陽光の利用効率を向上させることができる。
【００９３】
［第２の実施の形態］
次に、本発明の第２の実施の形態による集光装置及びそれを備えた太陽熱利用装置について、図１２を用いて説明する。なお、第１の実施の形態と同一の機能及び作用を有する構成要素については、同一の符号を付してその説明を省略する。図１２は、本実施の形態による集光装置１００及び太陽熱利用装置２の概略構成を示す模式図である。図１２に示すように、太陽熱利用装置２は、太陽熱利用素子４００と、太陽熱利用素子４００の周囲に配置され、太陽熱利用素子４００に太陽光を集光する集光装置１００とを有している。
【００９４】
本実施の形態の太陽熱利用素子４００は、太陽光の熱エネルギーを利用して温水を生成する太陽熱温水器である。図示していないが、太陽熱利用素子４００には、外部から水を流入させる入口配管と、生成した温水を外部に流出させる出口配管とが接続されている。入口配管を介して外部から流入した水は、太陽熱利用素子４００内の集熱器において太陽光の熱エネルギーを用いて加熱され、温水として出口配管から外部に流出する。太陽熱利用素子４００では、太陽光のうち、反射状態の反射透過板１０、２０で反射可能でありかつ透過状態の反射透過板１０、２０で透過可能な波長範囲の光（例えば赤外光）の熱エネルギーが少なくとも用いられる。太陽熱利用素子４００の受光面に黒色塗装等の可視光吸収処理を施すことにより、可視光の熱エネルギーを用いることもできる。反射透過板１０、２０によって太陽熱利用素子４００に入射する太陽光の光量を増加させることができるため、太陽熱利用素子４００では効率良く温水を生成することができる。なお、本実施の形態では太陽熱利用素子４００として太陽熱温水器を例に挙げたが、太陽光の熱エネルギーを電力に変換する熱電変換素子であってもよい。
【００９５】
本実施の形態による太陽熱利用装置は、上記第１の実施の形態の集光装置１００と、光利用領域に配置され、集光装置１００により集光された太陽光の熱エネルギーを利用する太陽熱利用素子４００とを有することを特徴とする。この構成によれば、太陽熱利用素子４００に入射する太陽光の光量を増加させることができるため、太陽熱利用素子４００における太陽光の利用効率を向上させることができる。
【００９６】
［第３の実施の形態］
次に、本発明の第３の実施の形態による集光装置及びそれを備えた集光装置ユニットについて、図１３を用いて説明する。なお、第１の実施の形態と同一の機能及び作用を有する構成要素については、同一の符号を付してその説明を省略する。図１３は、本実施の形態による集光装置１００及び集光装置ユニット３の概略構成を示す模式図である。図１３に示すように、集光装置ユニット３は、住宅等の建物の室内に太陽光を取り入れる採光窓５００と、採光窓５００の周囲に配置され、採光窓５００に太陽光を集光する集光装置１００とを有している。本実施の形態の採光窓５００は、建物の天井部分に概ね水平に設けられる天窓であり、太陽光を室内に導くための光学部材である。採光窓５００では、太陽光のうち、反射状態の反射透過板１０、２０で反射可能でありかつ透過状態の反射透過板１０、２０で透過可能な波長範囲の光（例えば可視光）が少なくとも取り入れられる。
【００９７】
本実施の形態によれば、反射透過板１０、２０によって採光窓５００に入射する太陽光の光量を増加させることができる。したがって、室内に取り入れられる太陽光の光量を増加させることができるため、太陽光の利用効率を向上させることができる。
【００９８】
［第４の実施の形態］
次に、本発明の第４の実施の形態による集光装置及びそれを備えた太陽光発電装置について、図１４を用いて説明する。なお、第１の実施の形態と同一の機能及び作用を有する構成要素については、同一の符号を付してその説明を省略する。図１４は、本実施の形態による集光装置及び太陽光発電装置４の概略構成を示す模式図である。図１４に示すように、太陽光発電装置４は、住宅等の屋根６００のうち、水平面に対して東側が低くなるように傾斜した傾斜面６０２に設けられている。太陽光発電装置４は、光電変換素子１１０と、光電変換素子１１０の東側に配置された集光装置としての反射透過板１０とを有している。
【００９９】
光電変換素子１１０は、傾斜面６０２に平行に配置されている。すなわち光電変換素子１１０は、東側に傾斜して配置されている。反射透過板１０は、鉛直方向及び南北方向に平行に配置されている。なお、本実施の形態では、光電変換素子１１０の西側には反射透過板が設けられていない。一般に、光電変換素子１１０が東側に傾斜して配置されている場合、日の出から南中時までの時間帯には太陽光が東側から照射されるため、光電変換素子１１０への太陽光の入射量は比較的多い。しかしながら、南中時から日没までの時間帯には太陽光が西側から照射されるため、光電変換素子１１０への太陽光の入射量が少なくなる。したがって、本実施の形態では、光電変換素子１１０への光入射量が少なくなる時間帯に西側から照射される太陽光を効率良く利用するために、光電変換素子１１０の東側のみに反射透過板１０が設けられている。
【０１００】
例えば、反射透過板１０は、日の出から南中時までの時間帯では透過状態となるように制御される。これにより、反射透過板１０は、東側から照射される太陽光を透過させて光電変換素子１１０に入射させることが可能になる。光電変換素子１１０は東側に傾斜して配置されているため、反射透過板２０が西側に設けられていなくても、光電変換素子１１０への太陽光の入射量は比較的多く確保できる。
【０１０１】
また反射透過板１０は、南中時から日没までは反射状態となるように制御される。これにより、反射透過板１０は、西側から照射される太陽光を反射させて光電変換素子１１０に入射させることが可能になる。したがって、光電変換素子１１０への光入射量が少なくなる南中時から日没までの時間帯において、光電変換素子１１０への太陽光の入射量を増加させることができる。
【０１０２】
反射透過板１０の反射状態及び透過状態の切替えは、例えば、タイマ等を用いて現在時刻に基づいて行われる。また、東側から入射する光の強度を検出する光センサと、西側から入射する光の強度を検出する光センサとを設け、両光センサで検出される光の強度に基づいて反射透過板１０の反射状態及び透過状態を切り替えるようにしてもよい。
【０１０３】
また、上述の例では、屋根６００のうち東側に傾斜した傾斜面６０２に光電変換素子１１０が配置されている場合の例を挙げたが、本実施の形態は、屋根６００のうち西側に傾斜した傾斜面に光電変換素子１１０が配置される場合にも適用できる。例えばこの場合、反射透過板１０は光電変換素子１１０の西側に配置され、光電変換素子１１０の東側には反射透過板が設けられない。また反射透過板１０は、日の出から南中時までの時間帯では反射状態となるように制御され、南中時から日没までは透過状態となるように制御される。
【０１０４】
［第５の実施の形態］
次に、本発明の第５の実施の形態による集光装置及びそれを備えた太陽光発電装置について、図１５及び図１６を用いて説明する。なお、第１の実施の形態と同一の機能及び作用を有する構成要素については、同一の符号を付してその説明を省略する。図１５は、本実施の形態による集光装置７００及び太陽光発電装置５の概略構成を示す模式図である。図１５に示すように、反射透過板１０のうち光電変換素子１１０とは逆側の表面１０ｂには、断面が直角三角形となる三角柱状の形状を有するプリズム７１０が設けられている。本例では、プリズム７１０は上下２列に配列している。プリズム７１０は、光電変換素子１１０での発電に必要な波長範囲の光に対して透明な材質で形成されている。プリズム７１０は、反射透過板１０に対して上向きに傾斜した斜面７１０ａを有している。太陽が東側に位置しかつ太陽高度が低い場合、東側から入射する太陽光は、プリズム７１０により下向きに屈折するようになっている。
【０１０５】
また、反射透過板２０のうち光電変換素子１１０とは逆側の表面２０ｂには、プリズム７１０と同様の構成を有するプリズム７２０が設けられている。プリズム７２０は、反射透過板２０に対して上向きに傾斜した斜面７２０ａを有している。太陽が西側に位置しかつ太陽高度が低い場合、西側から入射する太陽光は、プリズム７２０により下向きに屈折するようになっている。
【０１０６】
また本実施の形態では、光電変換素子１１０の周囲に配置される反射透過板１０、２０が、受光面１１０ａ上に立てて設けられている。反射透過板１０、２０の下端面は、受光面１１０ａと光学的に接続されている。
【０１０７】
図１６は、本実施の形態による集光装置７００の効果を説明する図である。図１６（ａ）はプリズム７１０、７２０が設けられていない構成を示し、図１６（ｂ）はプリズム７１０、７２０が設けられた構成を示している。図１６（ａ）に示すように、太陽高度が低く、太陽光の反射透過板１０に対する入射角が鉛直面内において小さい場合、透明状態の反射透過板１０を透過して反射状態の反射透過板２０で反射した光は、光電変換素子１１０の受光面１１０ａに入射せず、透明状態の反射透過板１０を再度透過して外部に射出してしまう。これに対し、図１６（ｂ）に示すようにプリズム７１０、７２０が設けられた構成では、太陽光はプリズム７１０で下向きに屈折するため、受光面１１０ａに入射し易くなる。したがって、太陽高度が低い場合の光電変換素子１１０への光入射量を増加させることができる。
【０１０８】
ここで、図７及び図８に示したように、太陽高度が３０°以下のときには光電変換素子１１０への光入射量が相対的に少なくなる。これを考慮すると、斜面７１０ａの反射透過板１０に対する傾斜角度、及び斜面７２０ａの反射透過板２０に対する傾斜角度は、３０°以下であることが望ましい。
【０１０９】
また、プリズム７１０、７２０が設けられた構成では、太陽高度が比較的高い場合、斜面７１０ａ、７２０ａに入射した光がさらに下向きに屈折し、全反射により反射透過板１０、２０内を導光してしまう場合がある。これに対し本実施の形態の太陽光発電装置５では、反射透過板１０、２０が受光面１１０ａ上に立てて設けられているため、反射透過板１０、２０内を導光した光も受光面１１０ａで受光することができる。
【０１１０】
本実施の形態による集光装置７００は、反射透過板１０、２０のうち光電変換素子１１０とは逆側の表面１０ｂ、２０ｂに設けられ、反射透過板１０、２０に対して上向きに傾斜した斜面７１０ａ、７２０ａを備えるプリズム７１０、７２０をさらに有することを特徴とする。この構成によれば、太陽高度が低い場合、プリズム７１０、７２０に入射した太陽光を下向きに屈折させることができるため、光電変換素子１１０への光入射量を増加させることができる。
【０１１１】
また本実施の形態による太陽光発電装置５は、反射透過板１０、２０が受光面１１０ａ上に立てて設けられていることを特徴とする。この構成によれば、反射透過板１０、２０内を導光した光も受光面１１０ａで受光することができるため、光電変換素子１１０への光入射量を増加させることができる。
【０１１２】
本発明は、上記実施の形態に限らず種々の変形が可能である。
例えば上記実施の形態では、反射状態で光を鏡面反射する反射透過板を例に挙げたが、反射状態で光を散乱反射する反射透過板であってもよい。
【０１１３】
また上記実施の形態では、平板状の反射透過板を例に挙げたが、曲面状の反射透過板であってもよい。
【０１１４】
また上記実施の形態では、光電変換素子１１０の北側に反射板３０が設けられた例を挙げたが、反射透過板１０、２０と同様の構成を有する反射透過板を光電変換素子１１０の北側に設けるようにしてもよい。また、光電変換素子１１０の南側にも同様の反射透過板を設けるようにしてもよい。
【０１１５】
また上記実施の形態では、集光装置１００が北回帰線より北側の地域に設置される場合に好ましい例として、光電変換素子１１０の北側に反射板３０が設けられている。例えば、集光装置１００が北回帰線と南回帰線の間の地域に設置される場合には、反射透過板１０、２０と同様の構成を有する反射透過板を光電変換素子１１０の北側及び南側に設けてもよい。集光装置１００が南回帰線より南側の地域に設置される場合には、反射板３０を光電変換素子１１０の南側に設けてもよい。
【０１１６】
また上記実施の形態において、透過状態の反射透過板１０、２０を透過する光の量を増加させるために、反射防止膜や、モスアイ構造等の反射防止構造を反射透過板１０、２０の表面に設けるようにしてもよい。
【０１１７】
また上記の各実施の形態や変形例は、互いに組み合わせて実施することが可能である。
【符号の説明】
【０１１８】
１、４、５  太陽光発電装置
２  太陽熱利用装置
３  集光装置ユニット
１０、２０  反射透過板
１０ａ、１０ｂ、２０ａ、２０ｂ、３０ａ  表面
１１、２１  太陽電池（光センサ）
１１ａ、２１ａ  正極性端子
１１ｂ、２１ｂ  負極性端子
３０  反射板
４１、３４１、３４９  透明基板
４２  透明導電膜
４３  イオン貯蔵層
４４  固体電解質層
４５  バッファ層
４６、３４６  触媒層
４７、３４７  調光ミラー層
１００、７００  集光装置
１０２  切替え回路
１１０  光電変換素子
１１０ａ  受光面
２００  太陽
３００  制御部
３０２  電圧印加機構
３１１、３２１  光センサ
３４８  空間
４００  太陽熱利用素子
５００  採光窓
６００  屋根
６０２  傾斜面
７１０、７２０  プリズム
７１０ａ、７２０ａ  斜面
【図１】
2013118262.tif 000003
【図２】
2013118262.tif 000004
【図３】
2013118262.tif 000005
【図４】
2013118262.tif 000006
【図５】
2013118262.tif 000007
【図６】
2013118262.tif 000008
【図７】
2013118262.tif 000009
【図８】
2013118262.tif 000010
【図９】
2013118262.tif 000011
【図１０】
2013118262.tif 000012
【図１１】
2013118262.tif 000013
【図１２】
2013118262.tif 000014
【図１３】
2013118262.tif 000015
【図１４】
2013118262.tif 000016
【図１５】
2013118262.tif 000017
【図１６】
2013118262.tif 000018